(57)【要約】【課題】コネクタカバーを開くときの操作性に優れた電子機器を提供すること【解決手段】コネクタ１０２を露出および遮蔽するように開閉可能にビデオカメラ本体１００に取り付けられたコネクタカバー１０３と、コネクタカバーの裏面１０３ｂに設けられた複数のボス１０４ａ〜１０４ｃと、ビデオカメラ本体に設けられ、それぞれが複数のボス１０４ａ〜１０４ｃのいずれかと係合する複数の孔部１０５ａ〜１０５ｂと、を有し、ボスの外形寸法は孔部の内径よりも大きくコネクタカバーを閉状態から開状態にする際に力が加えられる蓋操作部１０６から離れるに従ってボスの外形寸法と孔部の内径との寸法差を小さくする。【選択図】図７
2012079569.tif 000002
【特許請求の範囲】
【請求項１】
コネクタおよび複数の第１係合部が形成される電子機器本体と、前記複数の第１係合部とそれぞれ係合する複数の第２係合部が形成されるコネクタカバーとを有する電子機器において、
前記第１係合部および前記第２係合部の少なくとも一方を弾性変形させることで、前記第１係合部と前記第２係合部とを係合させるものであって、
前記複数の第１係合部と前記複数の第２係合部との係合を解除する際に、前記コネクタカバーに力が与えられる位置から遠くなるほど、前記第１係合部と前記第２係合部とが係合する際の弾性変形量を小さくすることを特徴とする電子機器。
【請求項２】
コネクタおよび複数の孔部が形成される電子機器本体と、前記複数の孔部にそれぞれ圧入される複数のボスが形成されるコネクタカバーとを有する電子機器において、
前記コネクタカバーは、前記ボスを前記孔部に圧入することで、前記コネクタをカバーする状態に保持するものであって、
前記複数の孔部に圧入された前記複数のボスを抜去する際に、前記コネクタカバーに力が与えられる位置から遠くなるほど、前記孔部から前記ボスを抜去する力を小さくすることを特徴とする電子機器。
【請求項３】
コネクタおよび複数の孔部が形成される電子機器本体と、前記複数の孔部にそれぞれ圧入される複数のボスが形成されるコネクタカバーとを有する電子機器において、
前記コネクタカバーは、前記ボスを弾性変形させて前記孔部に圧入することで、前記コネクタをカバーする状態に保持するものであって、
前記複数の孔部に圧入された前記複数のボスを抜去する際に、前記コネクタカバーに力が与えられる位置から遠くなるほど、前記孔部に前記ボスを圧入する際の弾性変形量を小さくすることを特徴とする電子機器。
【請求項４】
前記コネクタカバーは前記コネクタをカバーする状態となるときに、前記電子機器本体の把持部の一部となり、
前記ボスは、前記複数の孔部に圧入された前記複数のボスを抜去する際に、前記コネクタカバーに力が与えられる位置から遠くなるほど、前記ボスの高さ方向と前記把持部が把持される際に力が加わる方向の両方に直交する方向の外形寸法を小さくすることを特徴とする請求項３に記載の電子機器。
【請求項５】
前記ボスは縦方向と横方向に延びる断面十字形状を有し、
前記縦方向は前記電子機器本体の把持部が把持される際に力が加わる方向に延出させるとともに、前記横方向は前記高さ方向と前記縦方向に直交する方向に延出させるものであって、
前記ボスは、前記複数の孔部に圧入された前記複数のボスを抜去する際に、前記コネクタカバーに力が与えられる位置から遠くなるほど、前記横方向の延出長さを小さくすることを特徴とする請求項４に記載の電子機器。
【発明の詳細な説明】
【技術分野】
【０００１】
本発明は、コネクタを露出および遮蔽するコネクタカバーを有する電子機器に関する。
【背景技術】
【０００２】
ビデオカメラやデジタルスチルカメラなどの電子機器は、外部機器と接続可能なコネクタと、コネクタを露出および遮蔽するように開閉可能に構成されたコネクタカバーと、を有する。コネクタカバーの裏面には複数のボスが設けられ、電子機器本体のコネクタの近傍にもこれと対応する複数の孔部が設けられ、各ボスが対応する孔部に係合することによってコネクタカバーが閉じた状態が安定する。特許文献１は、コネクタカバーを弾性材料で構成している。
【先行技術文献】
【特許文献】
【０００３】
【特許文献１】特開２００３−２８３１５７号公報
【発明の概要】
【発明が解決しようとする課題】
【０００４】
しかしながら、コネクタカバーを開くための力をユーザがコネクタカバーに加える操作部はコネクタカバーの端部である場合が多く、また、コネクタカバーは弾性材料から構成されているため、コネクタカバーを開く際にコネクタカバーが変形する。その結果、コネクタカバーを開ける際には操作部付近のボスと孔部との係合は解除されるが、操作部から遠いボスと孔部との係合は解除されず、操作性が悪いという問題がある。
【０００５】
そこで、本発明は、コネクタカバーを開くときの操作性に優れた電子機器を提供することを例示的な目的とする。
【課題を解決するための手段】
【０００６】
本発明の電子機器は、コネクタおよび複数の第１係合部が形成される電子機器本体と、前記複数の第１係合部とそれぞれ係合する複数の第２係合部が形成されるコネクタカバーとを有する電子機器において、前記第１係合部および前記第２係合部の少なくとも一方を弾性変形させることで、前記第１係合部と前記第２係合部とを係合させるものであって、前記複数の第１係合部と前記複数の第２係合部との係合を解除する際に、前記コネクタカバーに力が与えられる位置から遠くなるほど、前記第１係合部と前記第２係合部とが係合する際の弾性変形量を小さくすることを特徴とする。
【発明の効果】
【０００７】
本発明によれば、コネクタカバーを開くときの操作性に優れた電子機器を提供することができる。
【図面の簡単な説明】
【０００８】
【図１】電子機器の斜視図である。
【図２】図１に示す電子機器のコネクタカバーを開けた状態におけるコネクタ室の拡大平面図である。
【図３】図１に示す電子機器の部分拡大断面図である。
【図４】図１に示す電子機器をユーザが把持している状態を表す部分透過側面図である。
【図５】図１に示す電子機器のコネクタカバーを閉じた状態における部分透過側面図である。
【図６】図５に示すコネクタカバーを開ける際に各ボスに伝わる力の模式図である。
【図７】図５に示すコネクタカバーの側面図と裏面の平面図である。
【図８】図６に示すＧＰＳ受信装置の上面図である。
【発明を実施するための形態】
【０００９】
図１は、電子機器（携帯端末装置）の一例としてビデオカメラの斜視図であり、図１（ａ）はコネクタカバー１０３が閉じた閉状態を示し、図１（ｂ）はコネクタカバー１０３が開いた開状態を示している。なお、本実施例は、デジタルスチルカメラ、ＰＤＡ、ゲーム機などその他の電子機器にも適用可能である。図２は、コネクタカバー１０３を開けた状態におけるコネクタ室１０１の平面図である。
【００１０】
図１と図２において、ビデオカメラ本体１００の不図示の撮影光学系の光軸に平行な長手方向をＸ方向、これに垂直なビデオカメラ本体１００の高さ方向をＹ方向とする。
【００１１】
ビデオカメラは、図１に示すように、電子機器本体としてのビデオカメラ本体１００に、コネクタ室１０１、コネクタカバー１０３、蓋操作部１０６を有する。
【００１２】
コネクタ室１０１は、ビデオカメラ本体１００の外部に向けて開口されており、ビデオカメラ本体１００の外装面に対して凹形状となっている。図２に示すように、コネクタ室１０１の内部（底部）には、複数のコネクタ１０２と孔部１０５ａ〜１０５ｃが設けられている。
【００１３】
コネクタ１０２は、外部機器と電気的に接続可能で、例えば、ＵＳＢコネクタやＨＤＭＩコネクタなどのコネクタから構成される。コネクタ１０２の種類や数は限定されない。
【００１４】
コネクタカバー１０３は、屈曲変位可能な加撓性を有する適宜の弾性材料から構成され、コネクタ１０２を埃塵や水滴から保護する。コネクタカバー１０３は、コネクタ室１０１にあるコネクタ１０２を露出および遮蔽するように開閉可能にビデオカメラ本体１００に設けられている。
【００１５】
コネクタカバー１０３は、図１（ａ）に示すように、閉状態のときにビデオカメラ本体１００の外装面の一部を構成する表面１０３ｂを有する。Ｘ方向はコネクタカバー１０３の長手方向に対応し、Ｙ方向はコネクタカバー１０３の短手方向に対応する。また、コネクタカバー１０３は、図１（ｂ）に示すように、表面１０３ａの反対側の裏面１０３ｂを有する。
【００１６】
コネクタカバー１０３の裏面１０３ｂには、複数の第１係合部として機能する複数のボス１０４ａ〜１０４ｃと、一対のフック部１０７が設けられている。
【００１７】
ボス１０４ａ〜１０４ｃは、断面十字形状の凸部であり、弾性を有している。また、複数のボス１０４ａ〜１０４ｃによってコネクタカバー１０３のビデオカメラ本体１００に対するガタツキを防止している。複数のボス１０４ａ〜１０４ｃの中心はＸ方向に並んでいる。
【００１８】
各ボスの断面十字形状が縦方向と横方向に延出している。ここで、縦方向はＸ方向であり、横方向はＹ方向である。
【００１９】
複数の孔部１０５ａ〜１０５ｃは、ビデオカメラ本体１００に設けられ、それぞれが複数のボス１０４ａ〜１０４ｃのいずれかと係合する複数の第２係合部として機能する。複数の孔部１０５ａ〜１０５ｃの中心はＸ方向に並んでいる。コネクタカバー１０３の閉状態において、ボス１０４ａ〜１０４ｃのそれぞれと対向した位置に設けられている。
【００２０】
本実施例では、孔部１０５ａがボス１０４ａと対応し、孔部１０５ｂがボス１０４ｂと対応し、孔部１０５ｃがボス１０４ｃと対応する。このように、本実施例では、第１係合部であるボスと第２係合部である孔部のペアは３つであるが、ペアの数は２つ以上であればいくつであってもよい。
【００２１】
本実施例では、第１係合部がボスで第２係合部が孔部であるが、これは逆でもよい。即ち、第１係合部と第２係合部の一方は凸部を有し、他方はその凸部が挿抜される凹部を有すれば足りる。本実施例の凹部は中空円筒形状を有する。
【００２２】
また、本実施例では、ボスが弾性材料から構成されて係合時に弾性変形して孔部は殆ど弾性変形しない樹脂などから構成されている。しかし、第１係合部と第２係合部は係合時に少なくとも一方が弾性変形すれば足り、少なくとも一方が弾性材料から構成されていれば足りる。但し、コネクタカバー１０３が弾性材料から構成されているので第１係合部に弾性を持たせればコネクタカバー１０３と同時に射出成型などによって形成することができる。
【００２３】
また、凸部の外形寸法は凹部の内径よりも大きく設定されている。凸部が円筒形状であれば凸部の外径と凹部の内径との間には締め代が存在することになる。これによって、ボスと孔部は保持力を有するのでコネクタカバー１０３は閉状態で安定する。
【００２４】
コネクタカバー１０３の閉状態では、ボス１０４ａ〜１０４ｃが孔部１０５ａ〜１０５ｃにそれぞれ圧入され、摩擦力によりコネクタ１０２をカバーする閉状態に保持される。コネクタカバー１０３の開状態では、ボス１０４ａ〜１０４ｃが孔部１０５ａ〜１０５ｃから抜かれる。
【００２５】
蓋操作部１０６は、コネクタカバー１０３を閉状態から開状態にする際にコネクタカバー１０３を開くための力（操作力）をユーザが加える力点として機能する部位である。蓋操作部１０６、ユーザの指を掛けやすいように窪みを含んでいる。
【００２６】
蓋操作部１０６は、図１（ａ）に示すように、コネクタカバー１０３の右下端部に設けられている。蓋操作部１０６は、ビデオカメラ本体１００に設けられた窪み１０１ａとコネクタカバー１０３の右下の端部１０３ｃを有する。
【００２７】
図３は、蓋操作部１０６での断面図であり、図３（ａ）は、コネクタカバー１０３の閉状態を示し、図３（ｂ）はコネクタカバー１０３の開状態を示している。
【００２８】
フック部１０７はコネクタカバー１０３と一体で形成され、コネクタカバー１０３をビデオカメラ本体１００に連結させる。フック部１０７は、図３に示すように、ビデオカメラ本体１００の内側にビデオカメラ本体１００と一体に形成された係止ボス１０８に引っ掛かり、ビデオカメラ本体１００の内側と押さえ部材１０９との間の空間に挟まれる。これによって、フック部１０７は、コネクタカバー１０３のビデオカメラ本体１００に対する抜け止めを形成している。
【００２９】
図４は、ビデオカメラ本体１００をユーザが把持している状態を示す部分透過側面図である。図４において、１１０はビデオカメラ本体１００を把持するユーザの手を表す。このとき、ユーザの手１１０とコネクタ１０２の位置関係を示すため、ユーザの手１１０およびコネクタカバー１０３を透明化して図示している。
【００３０】
ビデオカメラ本体１００を把持している時に使用しないコネクタ１０２は、図４に示すように、把持しているユーザの手１１０の内側に配置することによって、ビデオカメラ本体１００のスペースを有効利用することができ、配置効率が良い。そのため、コネクタカバー１０３の表面１０３ａは、閉状態ではビデオカメラ本体１００の把持部の一部を形成する。
【００３１】
コネクタカバー１０３の開き操作を指で操作しやすいように蓋操作部１０６を外装面から凸形状とすると、把持時にユーザの手１１０にその凸形状が当たってしまい、ビデオカメラ本体１００の把持感が悪くなる。
【００３２】
そこで、蓋操作部１０６は、図３（ａ）に示すように、コネクタカバー１０３側に設けた、外装面に対して凸形状でない端部１０３ｃと、ビデオカメラ本体１００側に設けた、外装面に対して凹形状である窪み１０１ａを対向させている。そして、ビデオカメラ本体１００を掴んで持ち運ぶ際のコネクタカバー１０３の誤操作や、デザイン上の観点より、蓋操作部１０６を容易に触ることのできない位置で、かつ目立たない位置である底面側に配置している。
【００３３】
以下、図３を参照して、コネクタカバー１０３の開閉動作について説明する。
【００３４】
コネクタカバー１０３を開ける場合には、ユーザは蓋操作部１０６の窪み１０１ａに指を入れて端部１０３ｃに指をかける。そして、ビデオカメラ本体１００の底面側から上面側に向かう方向（図３（ａ）に示す矢印Ａの方向）に、力Ｆを加え、孔部１０５ａ〜１０５ｃに押し込まれているボス１０４ａ〜１０４ｃを抜去する。この時、コネクタカバー１０３は、フック部１０７に設けられた溝端が係止ボス１０８に当接するまで引き出すことが可能である。
【００３５】
コネクタカバー１０３を開状態から閉状態にする際には、ユーザはコネクタカバー１０３の表面１０３ａを押して力を加える。これによって、ボス１０４ａ〜１０４ｃの先端が孔部１０５ａ〜１０５ｃの縁に当接し、その後、ユーザは更に力を加えることによってボス１０４ａ〜１０４ｃを孔部１０５ａ〜１０５ｃに圧入して両者を係合する。
【００３６】
ボス１０４ａ〜１０４ｃの外形は孔部１０５ａ〜１０５ｃの内径よりも大きく設定しているため、弾性部材で形成されているボス１０４ａ〜１０４ｃが変形し、その摩擦力によって両者を係合および固定することができる。これにより、コネクタカバー１０３はコネクタ１０２をカバーする状態を保持することができる。
【００３７】
コネクタカバー１０３は弾性部材で構成され、弾性変形が可能であるため、それを開く際にそれに加えられた力Ｆの一部はコネクタカバー１０３を変形させる力となり、ボス１０４ａ〜１０４ｃの抜去力には使用されない。そして、力を加えた蓋操作部１０６からボスまでの距離が遠くなるに従って、コネクタカバー１０３の変形量は大きくなり、ボスに伝わる抜去力は小さくなる。すなわち、ボス１０４ａ〜１０４ｃと孔部１０５ａ〜１０５ｃとの係合を解除する際に、コネクタカバー１０３に力が与えられる位置から遠くなるほど、ボス１０４ａ〜１０４ｃと孔部１０５ａ〜１０５ｃとの係合を解除する力は小さくなってしまう。
【００３８】
図５はコネクタカバー１０３を閉じた状態のビデオカメラの側面図であり、蓋操作部１０６と各ボスの位置関係を示すため、コネクタカバー１０３を透明化している。図６はコネクタカバー１０３を開けるときに各ボスに伝わる力の模式図である。
【００３９】
図５に示すように、ボス１０４ａ、１０４ｂ、１０４ｃの蓋操作部１０６からの距離を蓋操作部１０６からの距離が近い順にＬａ、Ｌｂ、Ｌｃとし、力Ｆを加えた時に各ボス１０４ａ、１０４ｂ、１０４ｃに伝わる抜去力をそれぞれＦａ、Ｆｂ、Ｆｃする。
【００４０】
このとき、Ｌａ＜Ｌｂ＜Ｌｃであるため、図６に示すように、ボスに伝わる抜去力にはＦ＞Ｆａ＞Ｆｂ＞Ｆｃの関係が成り立つ。そのため、従来の蓋構造のように、各ボスの保持力が全て一定では、蓋操作部１０６からの距離が近い個所から順番に抜去されていくこととなり、操作性が悪くなる。
【００４１】
そこで、本実施例はボスの保持力を蓋操作部１０６から離れるに従って弱くし、各ボスに伝わる抜去力Ｆａ〜Ｆｃと等しくする。即ち、本実施例は、Ｆａ＝Ｐａ＞Ｆｂ＝Ｐｂ＞Ｆｃ＝Ｐａの関係式が成り立つようにすることによって全てのボスが同時に抜けることが可能となり、操作性を向上させている。
【００４２】
図７はコネクタカバー１０３の側面図と裏面１０３ｂの平面図であり、ボスの高さ方向をＺ方向とする。図８はコネクタカバー１０３を閉じた状態における各圧入部における保持力の模式図である。
【００４３】
保持力を調整するために、ボス１０４ａ〜１０４ｃのＺ方向の長さを変更して孔部１０５ａ〜１０５ｃに圧入する際の弾性変形量を変更することが考えられるが、圧入時の操作性を損なうおそれがあるため、本実施例はボス１０４ａ〜１０４ｃを同じ高さとしている。
【００４４】
また、ユーザは、図４に示すように、ビデオカメラ本体１００を把持するため、このときコネクタカバー１０３にはＹ方向の力がかかる。従って、Ｙ方向の保持力を変化させてしまうと、蓋操作部１０６から遠くの圧入部ではガタツキに対する保持力が弱くなってビデオカメラ本体１００を把持する際の把持感が悪化する。
【００４５】
そこで、本実施例は、図８に示すように、全てのボスのＹ方向の保持力を一定とし、保持力を調整するためにＸ方向の延出長さを変化させ、Ｘａ＞Ｘｂ＞Ｘｃとしている。これにより、凸部であるボスのＸ方向の外形寸法と凹部である孔部の内径との寸法差は蓋操作部１０６から離れるに従って小さくなっている。すなわち、孔部１０５ａ〜１０５ｃに圧入されたボス１０４ａ〜１０４ｃを抜去する際に、コネクタカバー１０３に力が与えられる位置から遠くなるほど、孔部にボスを圧入する際の弾性変形量を小さくなる。これによって、孔部１０５ａ〜１０５ｃに圧入されたボス１０４ａ〜１０４ｃを抜去する際に、コネクタカバー１０３に力が与えられる位置から遠くなるほど、孔部からボスを抜去する力が小さくなる。この結果、Ｘ方向の保持力を蓋操作部１０６から離れるに従って小さくすることによって、部品点数を増やすことなくコネクタカバー１０３を把持時のガタつきを防止し、コネクタカバー１０３を開ける際の操作性を向上している。Ｘ方向の凸部の外形寸法は、凸部の高さ方向（Ｚ方向）とビデオカメラ本体１００の把持部が把持される際に力が加わるＹ方向の両方に直交する方向の寸法である。
【００４６】
以上、本発明の好ましい実施例について説明したが、本発明はこれらの実施例に限定されず、その要旨の範囲内で種々の変形及び変更が可能である。
【産業上の利用可能性】
【００４７】
本実施例の電子機器はコネクタを覆う蓋を有する電子機器に適用することができる。
【符号の説明】
【００４８】
１００                ビデオカメラ本体（電子機器本体）
１０２                コネクタ
１０３                コネクタカバー
１０４                ボス（第１係合部）
１０５                孔部（第２係合部）
１０６                蓋操作部
【図１】
2012079569.tif 000003
【図２】
2012079569.tif 000004
【図３】
2012079569.tif 000005
【図４】
2012079569.tif 000006
【図５】
2012079569.tif 000007
【図６】
2012079569.tif 000008
【図７】
2012079569.tif 000009
【図８】
2012079569.tif 000010